(57)【要約】【課題】照明装置１を簡易に天井に取り付ける。【解決手段】照明装置１は、開口部１１を有し、建物の天井７０に固定される筐体１０と、基板２１および基板２１に設けられた複数のＬＥＤ素子２３を有し、建物の床側に光を照射するＬＥＤパネル２０とを備える。ＬＥＤパネル２０は、筐体１０に支持される一方のパネル端部２０ａおよび他方のパネル端部２０ｂを有し、開口部１１の少なくとも一部を塞ぐように筐体１０に設けられる。筐体１０は、一方のパネル端部２０ａを支持する一方支持部１０ａおよび他方のパネル端部２０ｂを支持する他方支持部１０ｂを有し、一方支持部１０ａにおいて、開口部１１の中央から見て外方かつ上方に傾斜する傾斜部１３を有する。【選択図】図１１
2020035658.tif 000002
【特許請求の範囲】
【請求項１】
開口部を有し、建物の天井に固定される筐体と、
基板および前記基板に設けられた複数のＬＥＤ（Ｌｉｇｈｔ  Ｅｍｉｔｔｉｎｇ  Ｄｉｏｄｅ）素子を有し、前記建物の床側に光を照射するＬＥＤパネルと
を備え、
前記ＬＥＤパネルは、前記筐体に支持される一方のパネル端部および他方のパネル端部を有し、前記開口部の少なくとも一部を塞ぐように前記筐体に設けられ、
前記筐体は、前記一方のパネル端部を支持する一方支持部および前記他方のパネル端部を支持する他方支持部を有し、前記一方支持部において、前記開口部の中央から見て外方かつ上方に傾斜する傾斜部を有する
照明装置。
【請求項２】
前記ＬＥＤパネルは、前記一方のパネル端部の先端に向かって幅が狭くなる先すぼみ部を有し、
前記一方支持部は、前記ＬＥＤパネルの幅方向に互いに向き合う側面を有し、
前記互いに向き合う側面の間隔は、前記先すぼみ部の先端の幅よりも大きくかつ前記先すぼみ部の付け根の幅よりも小さい
請求項１に記載の照明装置。
【請求項３】
前記先すぼみ部は、前記付け根から前記先端に向かって徐々に幅が狭くなっている
請求項２に記載の照明装置。
【請求項４】
前記筐体は、さらに、前記傾斜部の上側に設けられ、前記傾斜部の傾斜角よりも大きな角度で傾斜するストッパ部を有する
請求項１〜３のいずれか１項に記載の照明装置。
【請求項５】
前記一方のパネル端部の先端から、前記複数のＬＥＤ素子のうち前記先端の最も近くに位置するＬＥＤ素子までの距離は、前記ストッパ部から前記開口部の縁までの距離よりも長い
請求項４に記載の照明装置。
【請求項６】
前記一方支持部は、上方に突出する突出部を有し、
前記ＬＥＤパネルは、前記突出部に引っ掛けられる引っ掛け穴を有している
請求項１〜５のいずれか１項に記載の照明装置。
【請求項７】
前記複数のＬＥＤ素子は、前記基板の第１主面側に設けられ、
前記ＬＥＤパネルは、さらに、前記複数のＬＥＤ素子に配線接続され、前記基板の第１主面と反対の第２主面側に露出するコネクタを有している
請求項１〜６のいずれか１項に記載の照明装置。
【請求項８】
さらに、前記ＬＥＤパネルの光照射側に配置される光透過パネルと、前記光透過パネルの外周部を覆う枠状のフレームとを備え、
前記光透過パネルは、前記フレームの底面よりも上側に配置される
請求項１〜７のいずれか１項に記載の照明装置。
【発明の詳細な説明】
【技術分野】
【０００１】
本発明は、建物の天井に取り付けられる照明装置に関する。
【背景技術】
【０００２】
従来、映像を表示する表示手段（液晶表示装置）と、照明領域に出射光を照射する発光手段（バックライト）と、映像を生成する映像生成手段とを備えた照明装置が開示されている（例えば特許文献１参照）。この照明装置では表示手段と発光手段とにより、光が差し込む照明環境を造りだしている。
【先行技術文献】
【特許文献】
【０００３】
【特許文献１】特開２０１３−９２６１６号公報
【発明の概要】
【発明が解決しようとする課題】
【０００４】
例えば特許文献１に示す照明装置を建物の天井に取り付ける場合、脚立等にのぼって上側を向きながら作業を行う必要がある。そのため、照明装置を取り付ける作業に多大な労力を要する。
【０００５】
そこで、本発明は、照明装置を簡易に天井に取り付けることができる照明装置を提供することを目的とする。
【課題を解決するための手段】
【０００６】
上記目的を達成するため、本発明の一態様に係る照明装置は、開口部を有し、建物の天井に固定される筐体と、基板および前記基板に設けられた複数のＬＥＤ（Ｌｉｇｈｔ  Ｅｍｉｔｔｉｎｇ  Ｄｉｏｄｅ）素子を有し、前記建物の床側に光を照射するＬＥＤパネルとを備え、前記ＬＥＤパネルは、前記筐体に支持される一方のパネル端部および他方のパネル端部を有し、前記開口部の少なくとも一部を塞ぐように前記筐体に設けられ、前記筐体は、前記一方のパネル端部を支持する一方支持部および前記他方のパネル端部を支持する他方支持部を有し、前記一方支持部において、前記開口部の中央から見て外方かつ上方に傾斜する傾斜部を有する。
【発明の効果】
【０００７】
本発明によれば、照明装置を簡易に天井に取り付けることができる。
【図面の簡単な説明】
【０００８】
【図１】比較例の照明装置を示す図である。
【図２】実施の形態に係る照明装置の設置例を示す図である。
【図３】実施の形態に係る照明装置の外観を模式的に示す斜視図である。
【図４】実施の形態に係る照明装置のＬＥＤパネル、光反射部材および光透過パネルを模式的に示す斜視図である。
【図５】実施の形態に係る照明装置のＬＥＤパネル、光反射部材、光透過パネル、制御部および電源部を模式的に示す分解斜視図である。
【図６】実施の形態に係る照明装置の断面図である。
【図７】実施の形態に係るＬＥＤパネルおよび筐体を図６に示すＶＩＩ−ＶＩＩ線で切断して見た図である。
【図８】実施の形態に係るＬＥＤパネルを正面および下側から見た図である。
【図９】実施の形態に係るＬＥＤパネルに含まれるＬＥＤモジュールを示す図である。
【図１０】実施の形態に係るＬＥＤパネルの配線を示す図である。
【図１１】実施の形態に係るＬＥＤパネルおよび筐体の分解斜視図である。
【図１２】実施の形態に係るＬＥＤパネルおよび筐体を図１１とは異なる方向から見た分解斜視図である。
【図１３】実施の形態に係るＬＥＤパネルが筐体に取り付けられる様子を示す図である。
【図１４Ａ】実施の形態に係るＬＥＤパネルの一方のパネル端部が突出部に吊るされた状態を示す模式図である。
【図１４Ｂ】実施の形態に係るＬＥＤパネルの一方のパネル端部が傾斜部に沿って移動させられる様子を示す模式図である。
【図１４Ｃ】実施の形態に係るＬＥＤパネルの一方のパネル端部が筐体に取り付けられた状態を示す模式図である。
【図１５】実施の形態に係るＬＥＤパネルの一方のパネル端部がストッパ部に接触した状態を示す断面図である。
【図１６】実施の形態に係るＬＥＤパネルの他方のパネル端部が筐体に取り付けられた状態を示す模式図である。
【図１７Ａ】実施の形態の変形例１に係る照明装置のＬＥＤパネルがストッパ部に接触した状態を示す模式図である。
【図１７Ｂ】実施の形態の変形例１に係る照明装置のＬＥＤパネルが傾斜部に沿って移動させられる様子を示す模式図である。
【図１７Ｃ】実施の形態の変形例１に係る照明装置のＬＥＤパネルが筐体に取り付けられた状態を示す模式図である。
【発明を実施するための形態】
【０００９】
（本発明に至る経緯）
まず、本発明に至る経緯について、比較例の照明装置を参照しながら説明する。図１は、比較例の照明装置１０１を示す図である。図１の（ａ）には、比較例の照明装置１０１が建物の天井７０に取り付けられた状態が示されている。図１の（ｂ）には、照明装置１０１のＬＥＤ（Ｌｉｇｈｔ  Ｅｍｉｔｔｉｎｇ  Ｄｉｏｄｅ）パネル１２０が筐体１１０に取り付けられる様子が示されている。
【００１０】
図１の（ａ）に示すように、比較例の照明装置１０１は、天井７０に固定される筐体１１０と、複数のＬＥＤ素子２３を有するＬＥＤパネル１２０とを備えている。筐体１１０は、開口部１１１を有し、ＬＥＤパネル１２０は、開口部１１１を塞ぐように筐体１１０に取り付けられる。
【００１１】
この照明装置１０１では、照明装置１０１を天井に取り付ける場合、例えば、脚立等にのぼって上側を向きながら作業を行う必要がある。そのため、照明装置１０１を天井に取り付ける作業に多大な労力を要する。また、ＬＥＤパネル１２０を筐体１１０に取り付ける際に、図１の（ｂ）に示すように照明装置１０１を斜めにして筐体１１０の開口部１１１に挿入する必要があるが、上側を向きながら行う作業に困難性があり、ＬＥＤ素子２３が筐体１１０に接触して破損することがある。
【００１２】
そこで、本実施の形態では、照明装置を簡易に天井に取り付けることができる照明装置を提供することを目的とする。
【００１３】
（実施の形態）
以下、本実施の形態に係る照明装置について、図を参照しながら説明する。以下に説明する実施の形態は、いずれも本発明の一具体例を示すものである。したがって、以下の実施の形態で示される数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。また、各図において、実質的に同一の構成に対しては同一の符号を付しており、重複する説明は省略または簡略化される場合がある。
【００１５】
また、以下の実施の形態で説明に用いられる図面においては座標軸が示される場合がある。Ｚ軸のマイナス側が鉛直方向における下側を表し、Ｚ軸のプラス側が鉛直方向における上側を表している。また、Ｘ軸方向およびＹ軸方向は、Ｚ軸方向に垂直な平面上において、互いに直交する方向である。
【００１６】
［１．照明装置の概略構成］
まず、本実施の形態に係る照明装置１の概略構成について図２〜図５を参照しながら説明する。本実施の形態に係る照明装置１は、ユーザに室内から窓を通して空を見るような感覚を疑似体験させるための装置である。照明装置１は、例えば屋内に設置され、屋内の窓から青空または夕焼けなどの自然の空を模した光を疑似的に演出する。
【００１７】
図２は、照明装置１の設置例を示す図である。図３は、照明装置１の外観を模式的に示す斜視図である。図４は、照明装置１のＬＥＤパネル２０、光反射部材３０および光透過パネル４０を模式的に示す斜視図である。図５は、照明装置１のＬＥＤパネル２０、光反射部材３０、光透過パネル４０、制御部５０および電源部６０を模式的に示す分解斜視図である。
【００１８】
図２〜図５に示すように、照明装置１は、筐体１０と、ＬＥＤパネル２０と、光反射部材３０と、光透過パネル４０とを備える。また、照明装置１は、図２および図３に示すようにフレーム４２を備え、図５に示すように制御部５０および電源部６０を備える。
【００１９】
筐体１０は、箱体であり、ＬＥＤパネル２０、光反射部材３０、光透過パネル４０、制御部５０および電源部６０を収容する。なお、制御部５０および電源部６０は、筐体１０の外側に配置されてもよい。筐体１０は、例えば金属材料または樹脂材料によって形成され、建物の天井７０に固定されている。
【００２０】
筐体１０は、下側に開口部１１を有している。筐体１０を下側から見た場合、開口部１１の形状は、矩形状である。なお、開口部１１の形状は、矩形状に限られず、円形状、多角形状または半円状等であってもよい。筐体１０の構造については、後で詳しく説明する。
【００２１】
ＬＥＤパネル２０は、映像を形成するための光を下側、すなわち建物の床側に向かって出射する光源である。図５に示すように、本実施の形態のＬＥＤパネルは、５つのＬＥＤパネル２０で構成されている。各ＬＥＤパネル２０は、基板２１および基板２１に設けられた複数のＬＥＤモジュール２２を有している。なお、ＬＥＤパネルは、５つのＬＥＤパネル２０に限らず、５つのＬＥＤパネル２０が一体となった１つのＬＥＤパネルで構成されてもよい。
【００２２】
各ＬＥＤモジュール２２は、複数のＬＥＤ素子２３を有している。各ＬＥＤ素子２３は、青色光、緑色光および赤色光、つまり、光の３原色を発光するＲＧＢタイプの発光素子である。各ＬＥＤ素子２３は、電源部６０供給される電力、また、制御部５０から入力される制御信号に基づいて発光する。ＬＥＤパネル２０は、各ＬＥＤ素子２３の発光が制御されることで、青空、白雲、曇り空、夕空、夕日などの映像を含む光を照射する。ＬＥＤパネル２０の構造については、後で詳しく説明する。
【００２３】
光反射部材３０は、筒状であり、ＬＥＤパネル２０と光透過パネル４０との間に配置されている。光反射部材３０は、ＬＥＤパネル２０から出射された光を反射する光学部材である。具体的には、光反射部材３０は、ＬＥＤパネル２０から出射され光反射部材３０の内側面に入射した光を、光透過パネル４０側に反射する。光反射部材３０は、例えば、アルミニウムなどの金属材料で形成された面に鏡面処理または拡散処理を施すことで作製される。
【００２４】
光透過パネル４０は、ＬＥＤパネル２０から出射された光を透過および拡散して床面側に出射する光学部材である。例えば、光透過パネル４０は、樹脂材料またはガラス材料から形成された透明板に拡散加工が施されることで作製される。
【００２５】
フレーム４２は、図２および図３に示すように、枠状の形状を有しており、光透過パネル４０の外周部を覆うように設けられる。フレーム４２は、最下面である底面４２ａと、底面４２ａに繋がって上側に延びる内側面４２ｂとを有している。光透過パネル４０は、フレーム４２の底面４２ａおよび内側面４２ｂよりも上側に配置される。
【００２６】
［２．照明装置の詳細構成］
次に、照明装置１の詳細構成について、図６〜図１５を参照しながら説明する。
【００２７】
図６は、照明装置１の断面図である。図７は、ＬＥＤパネル２０および筐体１０を図６に示すＶＩＩ−ＶＩＩ線で切断して見た図である。
【００２８】
図６に示すように、照明装置１は、筐体１０と、ＬＥＤパネル２０と、光反射部材３０と、光透過パネル４０と、フレーム４２と、制御部５０と、電源部６０とを備える。
【００２９】
図７に示すように、照明装置１は５つのＬＥＤパネル２０を有し、開口部１１は５つのＬＥＤパネル２０によって覆われている。すなわちＬＥＤパネル２０は、開口部１１の少なくとも一部を塞ぐように筐体１０に設けられている。
【００３０】
ここでＬＥＤパネル２０の基本構造を先に説明する。
【００３１】
図８は、ＬＥＤパネル２０を正面および下側から見た図である。図９は、ＬＥＤパネル２０に含まれるＬＥＤモジュール２２を示す図である。
【００３２】
図８に示すように、ＬＥＤパネル２０は、基板２１と、基板２１に設けられた複数のＬＥＤモジュール２２とを有している。基板２１は、例えば、金属板または樹脂板によって形成されている。基板２１は、第１主面２１ａと、第１主面２１ａと反対の第２主面２１ｂとを有している。本実施の形態では、５つのＬＥＤモジュール２２が、基板２１の第１主面２１ａに設けられている。
【００３３】
図８および図９に示すように、ＬＥＤモジュール２２は、モジュール基板２２ａと複数のＬＥＤ素子２３とを有している。
【００３４】
モジュール基板２２ａとしては、例えば、金属をベースとするメタルベース基板、樹脂をベースとする樹脂基板、セラミックからなるセラミック基板等が用いられる。
【００３５】
図９に示すように、各ＬＥＤ素子２３は、モジュール基板２２ａ上に配置されている。すなわち、各ＬＥＤ素子２３は、モジュール基板２２ａを介して基板２１の第１主面２１ａ側に設けられている。なお、モジュール基板２２ａには、各ＬＥＤ素子２３同士の間を埋めるように、光取り出し用のマスク２２ｂが設けられている。
【００３６】
また、モジュール基板２２ａには、ＬＥＤ素子２３が設けられた面とは反対の面に、各ＬＥＤ素子２３に配線接続される信号入出力用の２つのコネクタ２６および電力供給用のコネクタ２７が設けられている。各コネクタ２６、２７は、基板２１を貫通し、第２主面２１ｂ側に露出している。これにより、各コネクタ２６、２７は、基板２１の第２主面２１ｂ側にて相手側のコネクタと接続できるようになっている。
【００３７】
図１０は、ＬＥＤパネル２０の配線を示す図である。図１０に示すように、各ＬＥＤパネル２０の各ＬＥＤモジュール２２には、コネクタ２６、２７が設けられている。例えば、ＬＥＤモジュール２２には、制御部５０から出力された信号が一方のコネクタ２６を介して入力され、他方のコネクタ２６から出力される。他方のコネクタ２６から出力された信号は、隣に位置するＬＥＤモジュール２２の一方のコネクタ２６に入力される。また、各ＬＥＤモジュール２２には、電源部６０から出力された電力がコネクタ２７を介して供給される。
【００３８】
次に、ＬＥＤパネル２０を筐体１０に取り付けるための構造について、図６および図７ならびに図１１および図１２を参照しながら説明する。
【００３９】
図１１は、ＬＥＤパネル２０および筐体１０の分解斜視図である。図１２は、ＬＥＤパネル２０および筐体１０を図１１とは異なる方向から見た分解斜視図である。なお、図１１および図１２では、部材の厚みを省略して図示している。
【００４０】
ＬＥＤパネル２０は、図６および図７に示すように、筐体１０に支持される一方のパネル端部２０ａおよび他方のパネル端部２０ｂを有している。他方のパネル端部２０ｂは、ＬＥＤパネル２０を上側から見た場合に、Ｙ方向において、一方のパネル端部２０ａとは反対側に位置している。一方のパネル端部２０ａおよび他方のパネル端部２０ｂのそれぞれは、基板２１の一部によって構成されている。
【００４１】
図６、図７および図１１に示すように、ＬＥＤパネル２０は、一方のパネル端部２０ａの先端２４ａに向かって幅が狭くなる先すぼみ部２４を有している。先すぼみ部２４は、台形状であり、先すぼみ部２４の付け根２４ｂから先端２４ａに向かって徐々に幅が狭くなっている。また、一方のパネル端部２０ａには、引っ掛け穴２５が設けられている。
【００４２】
図１２に示すように、他方のパネル端部２０ｂには、ＬＥＤパネル２０を筐体１０に固定するための締結用穴２８が設けられている。ＬＥＤパネル２０は、ねじ等の締結部材７１を用いて筐体１０に固定される。なお、ＬＥＤパネル２０は、かんぬき部材を用いて筐体１０に固定されていてもよい。
【００４３】
筐体１０は、ＬＥＤパネル２０を支持する一方支持部１０ａおよび他方支持部１０ｂを有している。本実施の形態では、一方支持部１０ａは一方のパネル端部２０ａを１対１対応で支持し、他方支持部１０ｂは他方のパネル端部２０ｂを１対多対応で支持している。
【００４４】
一方支持部１０ａは、筐体１０の本体から開口部１１の中央に向かって水平に延びるように形成されている。一方支持部１０ａは、下板１５と、下板１５から上側に立ち上がる一対の側板１４とを有している。一方支持部１０ａは、例えば、溶接、接着またはねじ止めによって、筐体１０の本体に設けられる。
【００４５】
また、一方支持部１０ａは、上側に突出する突出部１２を有している。突出部１２は、一方支持部１０ａの下板１５に設けられ、かつ、下板１５のうちの開口部１１の中央に最も近い位置に設けられている。前述したＬＥＤパネル２０の引っ掛け穴２５は、この突出部１２に引っ掛けられる。
【００４６】
他方支持部１０ｂは、筐体１０の本体から開口部１１の中央に向かって水平に延びるように形成されている。他方支持部１０ｂには、締結用のねじ穴１８が設けられている。また、他方支持部１０ｂには、ＬＥＤパネル２０の長さ方向（Ｙ方向）の位置を規制する当たり部１９が設けられている。
【００４７】
ここで、図１３〜図１６を用いてＬＥＤパネル２０を筐体１０に取り付ける様子を示しながら、ＬＥＤパネル２０および筐体１０の構造を詳しく説明する。
【００４８】
図１３は、ＬＥＤパネル２０が筐体１０に取り付けられる様子を示す図である。図１４Ａは、一方のパネル端部２０ａが突出部１２に吊るされた状態を示す模式図である。図１４Ｂは、一方のパネル端部２０ａが傾斜部１３に沿って移動させられる様子を示す模式図である。図１４Ｃは、一方のパネル端部２０ａが筐体１０に取り付けられた状態を示す模式図である。
【００４９】
図１５は、一方のパネル端部２０ａがストッパ部１６に接触した状態を示す断面図である。図１６は、他方のパネル端部２０ｂが筐体１０に取り付けられた状態を示す模式図である。なお、図１３〜図１４Ｃおよび図１６では、一部の部材の厚みを省略して図示している。
【００５０】
ＬＥＤパネル２０は、筐体１０に固定される前に、図１３および図１４Ａに示すように、引っ掛け穴２５を用いて突出部１２に引っ掛けられる。これにより、ＬＥＤパネル２０は、鉛直方向に沿って吊り下げられ、ＬＥＤパネル２０の基板２１の第１主面２１ａが外方を向き、第２主面２１ｂが内方を向く。この吊り下げられた状態で、各コネクタ２６、２７に相手側のコネクタが接続される。このように照明装置１の取り付けを行う作業者は、ＬＥＤパネル２０を突出部１２に引っ掛けることで、ＬＥＤパネル２０の配線作業等を簡易に行うことができる。
【００５１】
配線作業等が終了した後、図１４Ａの矢印ａ１に示すようにＬＥＤパネル２０は、作業者によって引き起こされ、筐体１０の開口部１１に挿入される。
【００５２】
図１４Ａおよび図１４Ｂに示すように、筐体１０の一方支持部１０ａは、開口部１１の中央から見て外方かつ上方に向かって傾斜する傾斜部１３を有している。傾斜部１３は、直線状であるが、それに限られず曲線状であってもよい。外方とは開口部１１から遠ざかる方向であり、上方とは一方支持部１０ａの下板１５から遠ざかる方向である。傾斜部１３は、一方支持部１０ａの側板１４の上側端面を含む部分であり、例えば１０°以上４５°以下の傾斜角α１を有している。作業者は、例えばＬＥＤパネル２０を斜め右上方向へ押し込むことで、ＬＥＤパネル２０を傾斜部１３に沿って上昇させることができる（図１４Ｂの矢印ａ２参照）。これにより作業者は、ＬＥＤパネル２０を開口部１１に簡易に挿入することができる。
【００５３】
また、一対の側板１４は、ＬＥＤパネル２０の幅方向（Ｘ方向）に互いに向き合う側面１４ａを有している。互いに向き合う側面１４ａの間隔ｉ１は、ＬＥＤパネル２０の先すぼみ部２４の先端２４ａの幅ｗ１よりも大きく、先すぼみ部２４の付け２４ｂの幅ｗ２よりも小さい（図７参照）。この構造により、例えばＬＥＤパネル２０を傾斜部１３に沿って移動させる場合に、先すぼみ部２４を互いに向き合う側面１４ａでガイドしながら移動させることができる。これにより作業者は、ＬＥＤパネル２０の幅方向の位置を規制した状態でＬＥＤパネル２０を筐体１０に取り付けることができる。
【００５４】
また、筐体１０は、傾斜部１３の上側に設けられたストッパ部１６を有している。ストッパ部１６は、作業者の押し込みによってＬＥＤパネル２０が必要以上に移動した場合に、ＬＥＤパネル２０の先端２４ａが当たる部分である。ストッパ部１６は、筐体１０の本体に設けられ、傾斜部１３の傾斜角α１よりも大きな傾斜角を有している。ストッパ部１６の傾斜角は、例えば傾斜角α１より大きく１８０°以下であればよい。本実施の形態では、ストッパ部１６は、傾斜角９０°であり、鉛直方向に沿って形成されている。この構造により、ＬＥＤパネル２０が必要以上に移動することを抑制できるので、作業者は、ＬＥＤパネル２０を開口部１１に簡易に入れ込むことができる。
【００５５】
また、図１５に示すように、一方のパネル端部２０ａの先端２４ａから、複数のＬＥＤ素子２３のうち先端２４ａの最も近くに位置するＬＥＤ素子２３までの距離ｄ１は、ストッパ部１６から開口部１１の縁１１ａまでの距離ｄ２よりも長くなっている。なお、開口部１１の縁１１ａは、一方支持部１０ａおよび他方支持部１０ｂのうち一方支持部１０ａ側の開口部１１の縁１１ａである。この構造によれば、ＬＥＤパネル２０の移動をストッパ部１６で止めた場合に、ＬＥＤ素子２３が開口部１１の縁１１ａに接触することを抑制できる。これによりＬＥＤ素子２３が破損することを抑制できる。
【００５６】
このように本実施の形態では、ＬＥＤパネル２０が斜めにされた状態で開口部１１に挿入される。その際、ＬＥＤパネル２０は、図１４Ｂの矢印ａ２に示すように一方のパネル端部２０ａが傾斜部１３に沿って上昇させられ、ストッパ部１６に当接させられる。次に、図１４Ｂの矢印ｂ２に示すように他方のパネル端部２０ｂが持ち上げられ、ＬＥＤパネル２０が水平状態にされる。そしてこの水平状態を保ちながら、図１４Ｂの矢印ｃ２に示す方向にＬＥＤパネル２０が下降される。これにより、図１４Ｃに示すように一方のパネル端部２０ａが一方支持部１０ａに重ねられる。また、図１６に示すように他方のパネル端部２０ｂが他方支持部１０ｂに重ねられ、締結部材７１を用いて筐体１０に固定される。
【００５７】
［３．効果など］
本実施の形態に係る照明装置１は、開口部１１を有し、建物の天井７０に固定される筐体１０と、基板２１および基板２１に設けられた複数のＬＥＤ素子２３を有し、建物の床側に光を照射するＬＥＤパネル２０とを備える。ＬＥＤパネル２０は、筐体１０に支持される一方のパネル端部２０ａおよび他方のパネル端部２０ｂを有し、開口部１１の少なくとも一部を塞ぐように筐体１０に設けられる。筐体１０は、一方のパネル端部２０ａを支持する一方支持部１０ａおよび他方のパネル端部２０ｂを支持する他方支持部１０ｂを有し、一方支持部１０ａにおいて、開口部１１の中央から見て外方かつ上方に傾斜する傾斜部１３を有する。
【００５８】
このように、筐体１０に傾斜部１３が設けられることで、作業者は、ＬＥＤパネル２０を傾斜部１３に沿わせて開口部１１に挿入することができる。これにより、ＬＥＤパネル２０を簡易に筐体１０に取り付けることができるので、照明装置１を簡易に天井に取り付けることができる。
【００５９】
また、ＬＥＤパネル２０は、一方のパネル端部２０ａの先端に向かって幅が狭くなる先すぼみ部２４を有し、一方支持部１０ａは、ＬＥＤパネル２０の幅方向に互いに向き合う側面１４ａを有し、互いに向き合う側面１４ａの間隔ｉ１は、先すぼみ部２４の先端２４ａの幅ｗ１よりも大きくかつ先すぼみ部２４の付け根２４ｂの幅ｗ２よりも小さくてもよい。
【００６０】
これによれば、ＬＥＤパネル２０を傾斜部１３に沿って移動させる場合に、先すぼみ部２４を互いに向き合う側面１４ａでガイドしながら移動させることができる。これにより、ＬＥＤパネル２０の幅方向の位置が規制されるので、ＬＥＤパネル２０を簡易に筐体１０に取り付けることができる。
【００６１】
また、先すぼみ部２４は、付け根２４ｂから先端２４ａに向かって徐々に幅が狭くなっていてもよい。
【００６２】
これによれば、ＬＥＤパネル２０を傾斜部１３に沿って移動させる場合に、ＬＥＤパネル２０の幅方向の位置を正確に規制することができる。これにより、ＬＥＤパネル２０を簡易に筐体１０に取り付けることができる。
【００６３】
また、筐体１０は、さらに、傾斜部１３の上側に設けられ、傾斜部１３の傾斜角α１よりも大きな角度で傾斜するストッパ部１６を有していてもよい。
【００６４】
これによれば、ＬＥＤパネル２０を傾斜部１３に沿って移動させる場合に、ＬＥＤパネル２０が必要以上に移動することを抑制することができる。これにより、ＬＥＤパネル２０を簡易に筐体１０に取り付けることができる。
【００６５】
また、一方のパネル端部２０ａの先端２４ａから、複数のＬＥＤ素子２３のうち先端２４ａの最も近くに位置するＬＥＤ素子までの距離ｄ１は、ストッパ部１６から開口部１１の縁１１ａまでの距離ｄ２よりも長くてもよい。
【００６６】
これによれば、例えば、ＬＥＤパネル２０の移動をストッパ部１６で止めた場合に、ＬＥＤ素子２３が開口部１１の縁１１ａに接触することを抑制できる。これによりＬＥＤ素子２３が破損することを抑制できる。
【００６７】
また、一方支持部１０ａは、上方に突出する突出部１２を有し、ＬＥＤパネル２０は、突出部１２に引っ掛けられる引っ掛け穴２５を有していてもよい。
【００６８】
これによれば、ＬＥＤパネル２０を突出部１２に引っ掛けることができるので、例えば、ＬＥＤパネル２０の配線作業等を簡易に行うことができる。また、ＬＥＤパネル２０を一旦引っ掛けてから、開口部１１に挿入することができるので、ＬＥＤパネル２０の取り付け作業が不安定となることを抑制できる。
【００６９】
また、複数のＬＥＤ素子２３は、基板２１の第１主面２１ａ側に設けられ、ＬＥＤパネル２０は、さらに、複数のＬＥＤ素子２３に配線接続され、基板２１の第１主面２１ａと反対の第２主面２１ｂ側に露出するコネクタ２６、２７を有していてもよい。
【００７０】
これによれば、ＬＥＤパネル２０を突出部１２に引っ掛けた状態で、コネクタ２６、２７を相手側のコネクタに接続することができる。これにより、ＬＥＤパネル２０の配線作業を簡易に行うことができる。
【００７１】
また、さらに、ＬＥＤパネル２０の光照射側に配置される光透過パネル４０と、光透過パネル４０の外周部を覆う枠状のフレーム４２とを備え、光透過パネル４０は、フレーム４２の底面４２ａよりも上側に配置されてもよい。
【００７２】
このように、光透過パネル４０およびＬＥＤパネル２０がフレーム４２の底面４２ａよりも上側、すなわち奥側に設置される場合であっても、照明装置１を簡易に天井に取り付けることができる。
【００７３】
［４．実施の形態の変形例１］
次に、実施の形態の変形例１に係る照明装置１Ａについて、図１７Ａ〜図１７Ｃを参照しながら説明する。変形例１では、ストッパ部１６が、筐体１０の本体でなく側板１４に設けられている例について説明する。
【００７４】
図１７Ａは、実施の形態の変形例１に係る照明装置１ＡのＬＥＤパネル２０がストッパ部１６に接触した状態を示す模式図である。図１７Ｂは、ＬＥＤパネル２０が傾斜部１３に沿って移動させられる様子を示す模式図である。図１７Ｃは、ＬＥＤパネル２０が筐体１０に取り付けられた状態を示す模式図である。
【００７５】
図１７Ａ〜図１７Ｃに示すように、筐体１０の一方支持部１０ａは、開口部１１から見て外方かつ上方に向かって傾斜する傾斜部１３を有している。作業者は、例えばＬＥＤパネル２０を斜め右上方向へ押し込むことで、ＬＥＤパネル２０を傾斜部１３に沿って上昇させることができる。これにより作業者は、ＬＥＤパネル２０を開口部１１に簡易に挿入することができる。
【００７６】
また、一対の側板１４は、ＬＥＤパネル２０の幅方向に互いに向き合う側面１４ａを有している。互いに向き合う側面１４ａの間隔は、ＬＥＤパネル２０の先すぼみ部２４の先端２４ａの幅よりも大きく、先すぼみ部２４の付け２４ｂの幅よりも小さい。この構造により、例えばＬＥＤパネル２０を傾斜部１３に沿って移動させる場合に、先すぼみ部２４を互いに向き合う側面１４ａでガイドしながら移動させることができる。これにより作業者は、ＬＥＤパネル２０の幅方向の位置を規制した状態でＬＥＤパネル２０を筐体１０に取り付けることができる。
【００７７】
また、筐体１０は、傾斜部１３の上側に設けられたストッパ部１６を有している。ストッパ部１６は、作業者の押し込みによってＬＥＤパネル２０が必要以上に移動した場合に、ＬＥＤパネル２０の先すぼみ部２４のテーパが当たる部分である。ストッパ部１６は、側板１４の一部によって構成され、傾斜部１３の傾斜角よりも大きな角度で傾斜している。この構造により、ＬＥＤパネル２０が必要以上に移動することを抑制できるので、作業者は、ＬＥＤパネル２０を開口部１１に簡易に入れ込むことができる。
【００７８】
このように変形例では、ＬＥＤパネル２０が斜めにされた状態で開口部１１に挿入される。その際、ＬＥＤパネル２０は、一方のパネル端部２０ａが傾斜部１３に沿って上昇させられ、図１７Ａに示すようにストッパ部１６に当接させられる。次に、他方のパネル端部２０ｂが持ち上げられ、ＬＥＤパネル２０が水平状態にされる。そしてこの水平状態を保ちながら、図１７Ｂに示すようにＬＥＤパネル２０が下降される。これにより、図１７Ｃに示すように一方のパネル端部２０ａが一方支持部１０ａに重ねられる。また、他方のパネル端部２０ｂが他方支持部１０ｂに重ねられ、筐体１０に固定される。
【００７９】
本変形例でも、筐体１０に傾斜部１３が設けられることで、作業者は、ＬＥＤパネル２０を傾斜部１３に沿わせて開口部１１に挿入することができる。これにより、ＬＥＤパネル２０を簡易に筐体１０に取り付けることができるので、照明装置１Ａを簡易に天井に取り付けることができる。
【００８０】
（その他の実施の形態）
以上、照明装置１等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００８１】
例えば、ＬＥＤ素子２３は、ＳＭＤ（Ｓｕｒｆａｃｅ  Ｍｏｕｎｔ  Ｄｅｖｉｃｅ）型の発光素子であってもよいし、ＣＯＢ（Ｃｈｉｐ  Ｏｎ  Ｂｏａｒｄ）型の発光素子であってもよい。ＬＥＤ素子２３は、ＲＧＢ３色に限られず、ＲＧＢＷ４色であってもよいし、ＢＷ２色（青白２色）であってもよい。
【符号の説明】
【００８２】
１、１Ａ  照明装置
１０    筐体
１０ａ  一方支持部
１０ｂ  他方支持部
１１    開口部
１１ａ  開口部の縁
１２    突出部
１３    傾斜部
１４ａ  側面
１６    ストッパ部
２０    ＬＥＤパネル
２０ａ  一方のパネル端部
２０ｂ  他方のパネル端部
２１    基板
２１ａ  第１主面
２１ｂ  第２主面
２３    ＬＥＤ素子
２４    先すぼみ部
２４ａ  先端
２４ｂ  付け根
２５    引っ掛け穴
２６、２７  コネクタ
４０    光透過パネル
４２    フレーム
４２ａ  底面
７０    天井
ｉ１    間隔
ｗ１、ｗ２  幅
ｄ１、ｄ２    距離
α１    傾斜角
【図１】
2020035658.tif 000003
【図２】
2020035658.tif 000004
【図３】
2020035658.tif 000005
【図４】
2020035658.tif 000006
【図５】
2020035658.tif 000007
【図６】
2020035658.tif 000008
【図７】
2020035658.tif 000009
【図８】
2020035658.tif 000010
【図９】
2020035658.tif 000011
【図１０】
2020035658.tif 000012
【図１１】
2020035658.tif 000013
【図１２】
2020035658.tif 000014
【図１３】
2020035658.tif 000015
【図１４Ａ】
2020035658.tif 000016
【図１４Ｂ】
2020035658.tif 000017
【図１４Ｃ】
2020035658.tif 000018
【図１５】
2020035658.tif 000019
【図１６】
2020035658.tif 000020
【図１７Ａ】
2020035658.tif 000021
【図１７Ｂ】
2020035658.tif 000022
【図１７Ｃ】
2020035658.tif 000023